(57)【要約】【課題】不使用状態において書見台の使用者の視野が遮られることを抑制でき、かつ被取付体の作業スペースが狭くなることを抑制できる書見台を提供する。【解決手段】書見台１００は、取付部１と、背面板２とを備えている。取付部１は、対向部１１を含んでいる。対向部１１は、側面２０１に向かい合っている。取付部１は、被取付体２００に対して着脱可能に構成されている。背面板２は、対向部１１に対して側面２０１とは反対側で対向部１１に支持されている。背面板２は、使用位置と、使用位置よりも下方に位置する不使用位置との間で移動可能に構成されている。使用位置では、背面板２は、取付部１から上方に突出している。背面板２は、背面板２が使用位置に配置された使用状態と背面板２が不使用位置に配置された不使用状態とを、被取付体２００に対して上下方向ＤＲＺに移動することで切換可能に構成されている。【選択図】図２
0003235123.tif 000002
【実用新案登録請求の範囲】
【請求項１】
側面を有する被取付体に取り付けるための書見台であって、
前記側面に向かい合う対向部を含み、かつ前記被取付体に対して着脱可能に構成された取付部と、
前記対向部に対して前記側面とは反対側で前記対向部に支持され、かつ前記取付部から上方に突出した使用位置と、前記使用位置よりも下方に位置する不使用位置との間を移動可能に構成された背面板とを備え、
前記背面板は、前記背面板が前記使用位置に配置された使用状態と前記背面板が前記不使用位置に配置された不使用状態とを、前記被取付体に対して上下方向に移動することで切換可能に構成されている、書見台。
【請求項２】
前記取付部は、前記対向部から前記背面板とは反対側に延びる天面部と、前記天面部の下方において前記対向部から前記背面板とは反対側に延びることにより前記天面部との間に前記被取付体を差し込み可能な底面部とを含み、
前記対向部は、前記天面部に対して鋭角に傾斜しており、
前記背面板は、前記対向部に沿って配置されている、請求項１に記載の書見台。
【請求項３】
前記取付部は、前記天面部に対して立ち上がっている起立部を含み、
前記使用状態において、前記起立部は、前記背面板から間を空けて前記背面板に向かい合っている、請求項２に記載の書見台。
【請求項４】
前記取付部は、前記底面部に取り付けられた固定部を含み、
前記取付部は、前記天面部および前記固定部が前記被取付体を挟み込むことで前記被取付体に固定されるように構成されており、
前記固定部は、蝶ねじによって構成されている、請求項２または３に記載の書見台。
【請求項５】
前記背面板には、前記上下方向に直線状に延びる第１溝部と、前記第１溝部から分岐して前記第１溝部と交差する方向に延びる第２溝部と、前記上下方向に直線状に延びる第３溝部と、前記第３溝部から分岐して前記第３溝部と交差する方向に延びる第４溝部とが設けられており、
前記第２溝部は、前記第１溝部と前記第２溝部との連結部よりも前記上下方向の上方に位置する部分を有し、
前記第４溝部は、前記第３溝部と前記第４溝部との連結部よりも前記上下方向の上方に位置する部分を有し、
前記背面板を前記取付部に支持する支持構造をさらに備え、
前記支持構造は、前記第１溝部または前記第２溝部に係合する第１支持部と、前記第３溝部または前記第４溝部に係合する第２支持部とを含み、
前記不使用状態において、前記背面板は、前記第１溝部の上端において前記第１支持部に支持され、かつ前記第３溝部の上端において前記第２支持部に支持されており、
前記使用状態において、前記背面板は、前記第２溝部において前記第１支持部に支持され、かつ前記第４溝部において前記第２支持部に支持されている、請求項１〜４のいずれか１項に記載の書見台。
【請求項６】
前記背面板には、前記第２溝部よりも前記上下方向の下方において前記第１溝部から分岐して前記第１溝部と交差する方向に延びる第５溝部と、前記第３溝部よりも前記上下方向の下方において前記第３溝部から分岐して前記第３溝部と交差する方向に延びる第６溝部とが設けられており、
前記第５溝部は、前記第１溝部と前記第５溝部との連結部よりも前記上下方向の上方に位置する部分を有し、
前記第６溝部は、前記第２溝部と前記第６溝部との連結部よりも前記上下方向の上方に位置する部分を有し、
前記支持構造は、前記第１支持部よりも前記上下方向の下方において前記第１溝部または前記第５溝部に係合する第３支持部と、前記第２支持部よりも前記上下方向の下方において前記第３溝部または前記第６溝部に係合する第４支持部とを含み、
前記使用状態において、前記背面板は、前記第５溝部において前記第３支持部に支持され、かつ前記第６溝部において前記第４支持部に支持されている、請求項５に記載の書見台。
【請求項７】
前記背面板には、前記背面板が前記不使用状態にある状態で前記天面部の上方に配置された操作部が設けられており、
前記操作部は、前記背面板の幅方向における中心に設けられた凹部および凸部の少なくとも一方を有する、請求項５または６に記載の書見台。
【考案の詳細な説明】
【技術分野】
【０００１】
本考案は、書見台に関するものである。
【背景技術】
【０００２】
近年、小学校および中学校において、児童・生徒１人にタブレットＰＣ（Personal  Computer）が１台ずつ配布されるように学習環境の整備が進められている。一方、学校現場におけるタブレットＰＣの使用環境は十分に整備されているとは言いがたい。例えば、教室の学習机は、従来の寸法のまま使用されている。生徒の作業スペースとなる学習机の天板の寸法は、例えば、ＪＩＳ（Japanese  Industrial  Standards）規格に定められている。この従来の学習机の作業スペース（天板の寸法）は、筆箱、教科書およびノートのみを使った従来の学習であれば十分な大きさである。しかしながら、学習においてタブレットＰＣがさらに用いられた場合には、学習机の作業スペースが不足することが危惧されている。作業スペースが不足した場合には、作業スペース上の筆箱、教科書、ノート、タブレットＰＣ等の学習用具が落下しやすい。このため、タブレットＰＣの使用の際には、学習机の上のタブレットＰＣ以外の学習用具を片付けることで学習用具の落下を防止するように指導者が毎回指示を行う必要がある。また、タブレットＰＣは特に高額であるため、タブレットＰＣの落下および落下による破損は特に抑制される必要がある。以上より、学習用具の落下の抑制のために、限られた作業スペースを有効に活用することが望まれている。
【０００３】
作業スペースを有効に活用する手段には、書見台がある。書見台は、タブレットＰＣ、本等の被支持体を学習机等の被取付体に対して起立した状態で支持する。このため、被支持体が寝た状態で被取付体に配置される場合よりも、水平方向において作業スペースが有効に活用される。
【０００４】
例えば、実開平５−３４９２８号公報（特許文献１）の書見台は、載置部と、背もたれ（背面板）と、クリップとを備えている。載置部には、被支持体が載置される。クリップは、載置部とで被設置部（被取付体）を挟持することで載置部に固定されるように構成されている。背もたれは、伸びた状態と折り畳まれた状態と被設置部に取り付けられたままで切換可能に構成されている。背もたれが伸びた使用状態では、載置部に載置された被支持体が背もたれに立てかけられ得る。背もたれが折り畳まれた不使用状態では、載置部には被支持体が載置されていない。不使用状態では、背もたれが折り畳まれている。このため、書見台の使用者が書見台の前方を見る際に、書見台の使用者の視野が背もたれによって遮られることが抑制されている。
【先行技術文献】
【特許文献】
【０００５】
【特許文献１】実開平５−３４９２８号公報
【考案の概要】
【考案が解決しようとする課題】
【０００６】
しかしながら、上記公報に記載の書見台では、書見台を被取付体に設置することにより被取付体の作業スペースが狭くなる。
【０００７】
本考案は上記課題に鑑みてなされたものであり、その目的は、不使用状態において書見台の使用者の視野が遮られることを抑制することができ、かつ被取付体の作業スペースが狭くなることを抑制できる書見台を提供することである。
【課題を解決するための手段】
【０００８】
本考案の書見台は、側面を有する被取付体に取り付けるための書見台である。書見台は、取付部と、背面板とを備えている。取付部は、対向部を含んでいる。対向部は、側面に向かい合っている。取付部は、被取付体に対して着脱可能に構成されている。背面板は、対向部に対して側面とは反対側で対向部に支持されている。背面板は、使用位置と、使用位置よりも下方に位置する不使用位置との間で移動可能に構成されている。使用位置では、背面板は、取付部から上方に突出している。背面板は、背面板が使用位置に配置された使用状態と背面板が不使用位置に配置された不使用状態とを、被取付体に対して上下方向に移動することで切換可能に構成されている。
【考案の効果】
【０００９】
本考案の書見台によれば、背面板は使用位置と、使用位置よりも下方に位置する不使用位置との間で移動可能に構成されている。このため、背面板が不使用位置に配置された不使用状態において書見台の使用者の視野が書見台によって遮られることを抑制できる。また、背面板は、対向部に対して側面とは反対側で対向部に支持されている。このため、被取付体の作業スペースが狭くなることを抑制できる。
【図面の簡単な説明】
【００１０】
【図１】実施の形態に係る書見台の構成を概略的に示す側面図である。
【図２】実施の形態に係る書見台の構成を概略的に示す分解斜視図である。
【図３】実施の形態に係る書見台の使用状態および不使用状態の切換の動作を概略的に示す正面側からの斜視図である。
【図４】実施の形態に係る書見台の使用状態および不使用状態の切換の動作を概略的に示す背面側からの斜視図である。
【図５】実施の形態に係る書見台の使用状態における構成を概略的に示す背面図である。
【図６】実施の形態に係る書見台の不使用状態における構成を概略的に示す背面図である。
【図７】実施の形態の変形例に係る書見台の不使用状態における構成を概略的に示す背面図である。
【考案を実施するための形態】
【００１１】
以下、実施の形態について図に基づいて説明する。なお、以下では、同一または相当する部分に同一の符号を付すものとし、重複する説明は繰り返さない。
【００１２】
図１および図２を用いて、実施の形態に係る書見台１００の構成を説明する。なお、以下の説明においては、上下方向ＤＲＺと、奥行き方向ＤＲＹと、幅方向ＤＲＸとを用いて書見台１００の構成を説明する。上下方向ＤＲＺはたとえば鉛直方向である。奥行き方向ＤＲＹおよび幅方向ＤＲＸの各々は上下方向ＤＲＺに直交する。また奥行き方向ＤＲＹと幅方向ＤＲＸとは互いに直交する。
【００１３】
図１に示されるように、書見台１００は、側面２０１を有する被取付体２００に取り付けて使用される。書見台１００は、被取付体２００に取り付けられた状態で被支持体３００を支持する。書見台１００は、取付部１と、背面板２と、支持構造３とを含んでいる。
【００１４】
〈取付部１の構成について〉
書見台１００は、取付部１によって被取付体２００に取り付けられる。取付部１は、被取付体２００に対して着脱可能に構成されている。取付部１は、被取付体２００を上下方向ＤＲＺに挟み込むことで被取付体２００に固定される。
【００１５】
取付部１は、対向部１１と、天面部１２と、底面部１３と、起立部１４と、固定部１５とを含んでいる。対向部１１、天面部１２および底面部１３は、例えば、ステンレス等の金属製であり、一体に構成されている。起立部１４は、例えば、木製であってもよい。
【００１６】
対向部１１は、側面２０１に向かい合っている。側面２０１は、例えば、机の天板の側面である。対向部１１は、側面２０１から離れて側面２０１に向かい合っていてもよく、また側面２０１と接していてもよい。
【００１７】
天面部１２は、対向部１１の上端に接続されている。天面部１２は、対向部１１の上端から背面板２とは反対側に延びている。天面部１２は、対向部１１から手前側に延びている。天面部１２は、例えば、被取付体２００の上面２０２に対して平行な平板形状を有している。取付部１が被取付体２００に固定された状態において、天面部１２は被取付体２００の上面２０２に接触している。上面２０２は、例えば、机の天板の表面である。
【００１８】
対向部１１は、天面部１２に対して鋭角に傾斜している。この場合、対向部１１と天面部１２とがなす角の角度θは、鋭角である。角度θは、例えば、７５°である。対向部１１は、上方から下方に向かうにつれて奥行き方向ＤＲＹの手前側に傾斜している。
【００１９】
底面部１３は、対向部１１の下端に接続されている。底面部１３は、天面部１２の下方において対向部１１の下端から背面板２とは反対側に延びている。底面部１３は、対向部１１から手前側に延びている。底面部１３と天面部１２との間に被取付体２００を差し込むことが可能である。底面部１３は、対向部１１を介在して天面部１２と接続されている。底面部１３は、被取付体２００に対して天面部１２とは反対側に配置されている。
【００２０】
起立部１４は、天面部１２の奥行き方向ＤＲＹの手前側端部に接続されている。起立部１４は、天面部１２に対して上下方向ＤＲＺの上側に立ち上がっている。起立部１４は、天面部１２に対して直交するように天面部１２に対して立ち上がっていてもよい。
【００２１】
固定部１５は、底面部１３に取り付けられている。固定部１５は、天面部１２と底面部１３との間に被取付体２００を差し込んだ状態で、被取付体２００の下面２０３を天面部１２側へ押し付ける。これにより天面部１２および固定部１５が被取付体２００を挟み込み、取付部１は被取付体２００に固定される。
【００２２】
望ましくは、固定部１５は、蝶ねじによって構成されている。この場合、固定部１５は、取手部１５１と、雄ネジ部１５２と、把持部１５３とを有している。取手部１５１は、底面部１３の下方に配置されている。雄ネジ部１５２は、底面部１３に設けられたネジ穴１１１に螺合している。雄ネジ部１５２は、底面部１３を貫通している。把持部１５３は、天面部１２と底面部１３との間において雄ネジ部１５２に接続されている。把持部１５３は、奥行き方向ＤＲＹおよび幅方向ＤＲＸにおいて雄ネジ部１５２よりも大きい。このため、書見台１００を被取付体２００に取付ける際に被取付体２００に印加される力を分散させることができる。これにより、書見台１００の取付の際に被取付体２００が傷つけられることを抑制できる。また、書見台１００が不安定になることを抑制できる。取付部１が被取付体２００に固定された状態において、把持部１５３は、被取付体２００の下面２０３に接触している。下面２０３は、例えば、机の天板の裏面である。取付部１は、天面部１２および把持部１５３が被取付体２００を挟み込むことで被取付体２００に固定されるように構成されている。図２に示されるように、取付部１は、複数の固定部１５を含んでいてもよい。複数の固定部１５は、幅方向ＤＲＸにおいて互いに離れて配置されている。
【００２３】
〈背面板２の構成について〉
図１に示されるように、背面板２は、上下方向ＤＲＺに移動可能に構成されている。なお、背面板２の動作は、詳細に後述される。図１では、背面板２が取付部１に対して最も上方に移動した状態（使用状態）が実線で示され、背面板２が取付部１に対して最も下方に移動した状態（不使用状態）が破線で示されている。
【００２４】
背面板２は、平板形状を有している。背面板２は、表面と、表面に対向する裏面と、表面および裏面の双方に連なる側面とを有している。背面板２は、対向部１１に対して側面２０１とは反対側で対向部１１に支持されている。背面板２は、対向部１１よりも奥行き方向ＤＲＹの奥側に配置されている。背面板２は、作業スペースとなる被取付体２００の上面２０２の上に載置されていない。
【００２５】
背面板２は、対向部１１に沿って配置されている。背面板２の表面が対向部１１と向かい合っている。背面板２の表面は対向部１１に接していてもよい。背面板２が天面部１２となす角の角度は、鋭角であり、天面部１２と対向部１１とがなす角度θと略同じである。背面板２は、下方から上方に向かうにつれて奥行き方向ＤＲＹの奥側に傾斜している。背面板２は、起立部１４から奥行き方向ＤＲＹに間を空けて起立部１４に向かい合っている。背面板２および起立部１４は、上方に向かって開口している。背面板２および起立部１４の間の領域には、被支持体３００が配置され得る。
【００２６】
図２に示されるように、背面板２には、第１溝部２１と、第２溝部２２と、第３溝部２３と、第４溝部２４と、第５溝部２５と、第６溝部２６とが設けられている。第１溝部２１、第２溝部２２、第３溝部２３、第４溝部２４、第５溝部２５および第６溝部２６は、背面板２を貫通している。第１溝部２１は、上下方向ＤＲＺに直線状に延びている。
【００２７】
第２溝部２２は、第１溝部２１から分岐して第１溝部２１と交差する方向に延びている。第２溝部２２は、第１溝部２１と第２溝部２２との連結部よりも上下方向ＤＲＺの上方に位置する部分を有している。第２溝部２２は、第１溝部２１との連結部からたとえば斜め上方に直線状に延びている。第１溝部２１から分岐した第２溝部２２の端部が、第２溝部２２の部分の内で最も上下方向ＤＲＺの上側に位置している。第２溝部２２は、第１溝部２１の上端よりも下方に設けられている。
【００２８】
第３溝部２３は、上下方向ＤＲＺに直線状に延びている。第３溝部２３は、第１溝部２１から幅方向ＤＲＸにおいて間を空けて設けられている。望ましくは、第３溝部２３は、第１溝部２１に対して平行に設けられている。望ましくは、第３溝部２３は、第１溝部２１と同じ形状を有している。
【００２９】
第４溝部２４は、第３溝部２３から分岐して第３溝部２３と交差する方向に延びている。第４溝部２４が第３溝部２３から延びる方向は、第２溝部２２が第１溝部２１から延びる方向と同じである。第４溝部２４は、第３溝部２３と第４溝部２４との連結部よりも上下方向ＤＲＺの上方に位置する部分を有している。第４溝部２４は、第３溝部２３との連結部からたとえば斜め上方に直線状に延びている。第３溝部２３から分岐した第４溝部２４の端部が、第４溝部２４の部分の内で最も上下方向ＤＲＺの上側に位置している。
【００３０】
第５溝部２５は、第２溝部２２よりも上下方向ＤＲＺの下方において第１溝部２１から分岐して第１溝部２１と交差する方向に延びている。第５溝部２５は、第２溝部２２に対して平行に設けられている。第５溝部２５は、第２溝部２２と同じ長さを有している。第５溝部２５は、第１溝部２１と第５溝部２５との連結部よりも上下方向ＤＲＺの上方に位置する部分を有している。第５溝部２５は、第１溝部２１との連結部からたとえば斜め上方に直線状に延びている。第１溝部２１から分岐した第５溝部２５の端部が、第５溝部２５の部分の内で最も上下方向ＤＲＺの上側に位置している。
【００３１】
第６溝部２６は、第３溝部２３よりも上下方向ＤＲＺの下方において第３溝部２３から分岐して第３溝部２３と交差する方向に延びている。第６溝部２６は、第４溝部２４に対して平行に設けられている。第６溝部２６は、第４溝部２４と同じ長さを有している。第６溝部２６は、第３溝部２３と第６溝部２６との連結部よりも上下方向ＤＲＺの上方に位置する部分を有している。第６溝部２６は、第３溝部２３との連結部からたとえば斜め上方に直線状に延びている。第３溝部２３から分岐した第６溝部２６の端部が、第６溝部２６の部分の内で最も上下方向ＤＲＺの上側に位置している。第２溝部２２および第５溝部２５は、第１溝部２１に対して例えば７５°の角度で斜め上方に延びている。第４溝部２４および第６溝部２６は、第３溝部２３に対して例えば７５°の角度で斜め上方に延びている。
【００３２】
背面板２には、操作部２９が設けられている。操作部２９は、背面板２が図３において破線で示された不使用状態にある状態で、天面部１２の上方に配置されている。操作部２９の上端は、第１溝部２１および第３溝部２３の上端よりも上方に設けられている。操作部２９は、背面板２の幅方向ＤＲＸにおける中心に設けられた凹部および凸部の少なくとも一方を有する。操作部２９は、凹部として円形の貫通孔を有している。この場合、書見台１００の使用者は、貫通孔に指をかけて容易に背面板２を操作することができる。操作部２９は、背面板２を貫通しない凹部であってもよく、背面板２から突き出した凸部であってもよい。背面板２は、操作部２９として複数の凹部または凸部を含んでいてもよく、また凹部と凸部との双方を含んでいてもよい。
【００３３】
背面板２の材料は、適宜に決められてもよい。背面板２は、樹脂製、木製またはそれ以外の材質であってもよい。木製の背面板２は、金属製の背面板２よりも低い強度を有している。このため、背面板２に強い力が印加された場合には、背面板２が取付部１から外れ得る。よって、背面板２に強い力が印加された場合に被取付体２００に傷がつくことを抑制できる。
【００３４】
〈支持構造３の構成について〉
図１に示されるように、支持構造３は、背面板２を取付部１に支持している。支持構造３は、背面板２および取付部１を挟み込むことで背面板２を取付部１に支持している。
【００３５】
図２に示されるように、支持構造３は、第１支持部３１と、第２支持部３２と、第３支持部３３と、第４支持部３４とを含んでいる。第１支持部３１は、第１溝部２１または第２溝部２２に係合する。第２支持部３２は、第３溝部２３または第４溝部２４に係合する。第２支持部３２は、第１支持部３１から幅方向ＤＲＸに間を空けて配置されている。第３支持部３３は、第１溝部２１または第５溝部２５に係合する。第３支持部３３は、第１支持部３１から上下方向ＤＲＺに間を空けて配置されている。第３支持部３３と第１支持部３１との上下方向ＤＲＺの距離は、第５溝部２５と第２溝部２２との上下方向ＤＲＺの距離と同じである。第４支持部３４は、第３溝部２３または第６溝部２６に係合する。第４支持部３４は、第２支持部３２から上下方向ＤＲＺに間を空けて配置されている。第４支持部３４と第２支持部３２との上下方向ＤＲＺの距離は、第６溝部２６と第４溝部２４との上下方向ＤＲＺの距離と同じである。
【００３６】
第１支持部３１、第２支持部３２、第３支持部３３および第４支持部３４の各々は、たとえばネジ部材３ａと、座金３ｂと、ナット３ｃと、スペーサー３ｄとを含んでいる。図２では、説明の便宜のため、ナット３ｃの外形が円形で示されている。ネジ部材３ａは、背面板２、座金３ｂおよび対向部１１の孔Ｈを貫通している。ネジ部材３ａおよびナット３ｃが対向部１１および背面板２を挟み込んだ状態でネジ部材３ａがナット３ｃに螺合されることで、背面板２が支持構造３によって取付部１に支持される。スペーサー３ｄは、座金３ｂとナット３ｃとの間に配置されている。スペーサー３ｄは、背面板２とほぼ同じ厚みを有している。スペーサー３ｄの厚みは、例えば、４ｍｍである。スペーサー３ｄは、例えば、樹脂製である。この場合には、背面板２がスペーサー３ｄに対して滑りやすくなる。なお、ナット３ｃが設けられていなくてもよい。この場合には、対向部１１の孔Ｈとして、ネジ部材３ａと螺合するネジ穴が形成されている。ネジ部材３ａが孔Ｈと直接固定されることで、ネジ部材３ａがナット３ｃに固定される場合よりも容易に支持構造３が取付部１に固定される。
【００３７】
書見台１００の幅方向ＤＲＸの寸法は、被取付体２００の幅方向ＤＲＸの寸法よりも小さい。被取付体２００は、例えば、学校の生徒用の学習机、教卓等の机である。被支持体３００は、例えば、書籍またはタブレットＰＣである。被支持体３００が書籍である場合には、書籍のページが開かれた状態で書見台１００に書籍が支持される。
【００３８】
〈書見台１００の動作について〉
次に、図１、図３〜図６を用いて、実施の形態に係る書見台１００の動作を説明する。
【００３９】
図１に示されるように、背面板２は、上下方向ＤＲＺに移動可能に構成されている。背面板２は、使用位置と、使用位置の下方に位置する不使用位置との間で移動可能に構成されている。図１、図３および図４では、使用位置に配置された状態（使用状態）の背面板２が実線によって示されており、不使用位置に配置された状態（不使用状態）の背面板２が破線によって示されている。使用位置では、背面板２は、被取付体２００および取付部１から上方に突出している。不使用位置に位置する背面板２は、使用位置に位置する背面板２よりも下方に配置されている。
【００４０】
背面板２は、背面板２が使用位置に配置された使用状態と背面板２が不使用位置に配置された不使用状態とを、被取付体２００に対して上下方向ＤＲＺに移動することで切換可能に構成されている。使用状態および不使用状態のいずれにおいても、書見台１００は被取付体２００に取り付けられている。不使用状態における背面板２の奥行き方向ＤＲＹの奥側への被取付体２００からの突出量は、使用状態における背面板２の奥行き方向ＤＲＹの奥側への被取付体２００からの突出量よりも小さい。不使用状態において、書見台１００全体の被取付体２００からの奥行き方向ＤＲＹの奥側への突出量は、例えば、２０ｍｍ以内である。
【００４１】
使用状態において、背面板２は、被支持体３００を支持している。使用状態において、背面板２は、被支持体３００を天面部１２に対して上方に起立させた状態で被支持体３００を支持している。使用状態において、起立部１４は、背面板２から間を空けて背面板２に向かい合っている。この場合、使用状態において、背面板２は、被支持体３００を起立部１４とで奥行き方向ＤＲＹに挟み込んで支持している。
【００４２】
図３および図４に示されるように、背面板２は、使用状態と不使用状態とを、被取付体２００に対して第１溝部２１、第２溝部２２、第３溝部２３、第４溝部２４、第５溝部２５および第６溝部２６の各々の延在方向に背面板２がスライドすることで切換可能に構成されている。本実施の形態において、第１溝部２１および第３溝部２３は、上下方向ＤＲＺに延在しており、第２溝部２２、第４溝部２４、第５溝部２５および第６溝部２６の各々は、斜め方向に延在している。このため、背面板２は、使用状態と不使用状態とを、被取付体２００に対して上下方向ＤＲＺおよび斜め方向にスライドすることで切換可能に構成されている。斜め方向は、上下方向ＤＲＺおよび幅方向ＤＲＸに対して交差する方向である。
【００４３】
図３および図４の実線による白抜き矢印は、使用状態から不使用状態へ切換における背面板２の移動方向を示している。図３および図４の破線による白抜き矢印は、不使用状態から使用状態への切換における背面板２の移動方向を示している。使用状態から不使用状態への切換では、背面板２は、斜め方向に移動されてから、上下方向ＤＲＺの下方に移動される。不使用状態から使用状態への切換では、背面板２は、上下方向ＤＲＺの上方に移動されてから、斜め方向に移動される。
【００４４】
図５に示されるように、使用状態において、背面板２は、第２溝部２２において第１支持部３１に支持され、かつ第４溝部２４において第２支持部３２に支持されている。使用状態において、背面板２は、第５溝部２５において第３支持部３３に支持され、かつ第６溝部２６において第４溝部２４に支持されている。このため、使用状態において、背面板２は、支持構造３によって４箇所において取付部１に支持されている。使用状態において、背面板２は、第１溝部２１から分岐した第２溝部２２の端部において第１支持部３１に支持されている。使用状態において、背面板２は、第３溝部２３から分岐した第４溝部２４の端部において第２支持部３２に支持されている。使用状態において、背面板２は、第１溝部２１から分岐した第５溝部２５の端部において第１支持部３１に支持されている。使用状態において、背面板２は、第３溝部２３から分岐した第６溝部２６の端部において第２支持部３２に支持されている。
【００４５】
図６に示されるように、不使用状態において、被支持体３００（図５参照）は、書見台１００に配置されていない。不使用状態において、操作部２９の上端は、起立部１４の上辺１４１よりも上方に配置されている。これにより、書見台１００の使用者による操作部２９の操作が起立部１４によって妨げられることが抑制される。
【００４６】
不使用状態において、背面板２は、第１溝部２１の上端において第１支持部３１に支持され、かつ第３溝部２３の上端において第２支持部３２に支持されている。背面板２は、第１溝部２１の上端よりも下方において第３支持部３３にさらに支持され、かつ第３溝部２３の上端よりも下方において第４支持部３４にさらに支持されている。
【００４７】
〈変形例の構成について〉
図７に示されるように、第２溝部２２および第５溝部２５は、第１溝部２１から直角に分岐していてもよい。第４溝部２４および第６溝部２６は、第２溝部２２から直角に分岐していてもよい。図示されないが、第５溝部２５および第６溝部２６は、それぞれ第１溝部２１および第２溝部２２の下端よりも上方においてそれぞれ第１溝部２１および第２溝部２２から分岐していてもよい。図示されないが、第１溝部２１および第２溝部２２は、湾曲していてもよい。
【００４８】
続いて、本実施の形態の作用効果を説明する。
【００４９】
図１に示されるように、背面板２は、使用位置と、使用位置よりも下方位置に位置する不使用位置との間で移動可能に構成されている。このため、背面板２が不使用位置に配置された不使用状態において、背面板２によって書見台１００の使用者の視野が背面板２によって遮られることを抑制できる。これにより、例えば、書見台１００が取り付けられた被取付体２００（机）の側面２０１同士が互いに向かい合うように複数の被取付体２００（机）が並べられた場合でも、書見台１００の使用者同士のコミュニケーションが背面板２によって妨げられることを抑制できる。
【００５０】
図１に示されるように、背面板２は、対向部１１に対して側面２０１とは反対側で対向部１１に支持されている。このため、背面板２は、被取付体２００の上面２０２に配置されない。よって、背面板２が上面２０２に配置される場合と比べて、作業スペースとなる被取付体２００の上面２０２が背面板２によって狭くなることを抑制できる。
【００５１】
図１に示されるように、対向部１１は、天面部１２に対して鋭角に傾斜しており、背面板２は、対向部１１に沿って配置されている。このため、背面板２を対向部１１に沿って持ち上げることで、背面板２を鋭角に傾斜させることができる。したがって、被支持体３００の角度を、上方から下方に見下ろすように被支持体３００を見る書見台１００の使用者にとって見やすい角度に設定することができる。被支持体３００がタブレットＰＣである場合には、タブレットＰＣの操作面を、書見台１００の使用者にとってタッチ操作しやすい角度にすることができる。また、背面板２が対向部１１に沿って引き上げられることで、背面板２の角度は、書見台１００の使用者にとって被支持体３００を見やすい角度に自然と設定される。このため、書見台１００の使用者は、背面板２の角度を調整しなくてもよい。
【００５２】
図１に示されるように、使用状態において、起立部１４は、背面板２から間を空けて背面板２に向かい合っている。このため、使用状態において、被支持体３００は、起立部１４と背面板２とに挟み込まれるように支持され得る。よって、使用状態において、被支持体３００の被取付体２００に対する角度を書見台１００の使用者にとって見やすい角度に維持することができる。また、被支持体３００が書籍である場合には、書籍のページが起立部１４と背面板２とに挟み込まれるように書籍を配置することで、使用状態において書籍のページが開かれた状態を維持することができる。このため、書見台１００の使用者は、書籍のページが開かれた状態を維持するために書籍を手で押さえなくてもよい。
【００５３】
図１に示されるように、固定部１５は、蝶ねじによって構成されている。このため、蝶ねじによって取付部１を被取付体２００に着脱することができる。よって、取付部１を被取付体２００に着脱する際に工具を用いる必要がない。また、蝶ねじのネジ頭は大きいため、固定部１５を操作しやすい。これにより、書見台１００の使用者が小学校の児童である場合でも、書見台１００の使用者は安全に取付部１を被取付体２００に着脱することができる。また、仮に固定部１５のネジ頭が一様に大きい場合には、背面板２が不使用位置に配置された際にネジ頭と背面板２とが接触する可能性があるが、本実施の形態の蝶ねじのようにネジ頭が一方向にのみ突出した形状である場合には、ネジ頭を回転させることでネジ頭と背面板２との接触を抑制できる。なお、固定部１５は、蝶ねじに限定されず、工具を使用せずに取付部１を被取付体２００に固定できるものであればよい。
【００５４】
図４に示されるように、不使用状態において、背面板２は、第１溝部２１の上端において第１支持部３１に支持され、かつ第３溝部２３の上端において第２支持部３２に支持され、使用状態において、背面板２は、第２溝部２２において第１支持部３１に支持され、かつ第４溝部２４において第２支持部３２に支持されている。このため、背面板２を第１支持部３１および第２支持部３２に沿ってスライドさせることで不使用状態と使用状態とを切り換えることができる。これにより、書見台１００の使用者が例えば児童である場合でも、書見台１００の操作が容易に可能となる。
【００５５】
図４に示されるように、第２溝部２２は、第１溝部２１と第２溝部２２との連結部よりも上下方向ＤＲＺの上方に位置する部分を有しており、第４溝部２４は、第３溝部２３と第４溝部２４との連結部よりも上下方向ＤＲＺの上方に位置する部分を有している。このため、書見台１００が使用状態から不使用状態に切り換えられる際には、背面板２が一旦持ち上げられる必要がある。よって、水平方向の力が書見台１００に印加された場合でも使用状態から不使用状態に不意に切り替わることを抑制できる。
【００５６】
図４に示されるように、使用状態において、背面板２は、第２溝部２２において第１支持部３１に支持され、かつ第４溝部２４において第２支持部３２に支持されており、かつ第５溝部２５において第３支持部３３に支持されており、かつ第６溝部２６において第４支持部３４に支持されている。このため、少なくとも４箇所において背面板２が取付部１に支持されている。よって、使用状態での使用および使用状態と不使用状態との切換において背面板２がねじれることを抑制できる。これにより、使用状態と不使用状態との切換において背面板２を上下方向ＤＲＺにスムーズに移動させることができる。
【００５７】
図４に示されるように、操作部２９は、背面板２の幅方向ＤＲＸにおける中心に設けられた凹部および凸部の少なくともいずれかを有している。このため、操作部２９が幅方向ＤＲＸにおける中心以外に設けられている場合よりも、使用状態と不使用状態との切換において背面板２がねじれることを抑制できる。
【００５８】
続いて、比較例に係る器具と本実施の形態に係る書見台１００とを比較して、本実施の形態に係る書見台１００の作用効果を説明する。
【００５９】
器具は、幅方向ＤＲＸおよび奥行き方向ＤＲＹの両方において被取付体２００を拡張するための器具である。このため、被取付体２００の幅方向ＤＲＸおよび奥行き方向ＤＲＹの設置面積が大きくなる。これにより、教室において複数の器具が用いられた場合には、教室の面積が複数の器具によって狭くなる。また、被支持体３００は、被取付体２００の上面２０２に対して寝た状態で被取付体２００および器具の上に配置される。
【００６０】
これに対して、本実施の形態に係る書見台１００では、図３に示されるように、書見台１００の幅方向ＤＲＸの寸法は、被取付体２００の幅方向ＤＲＸの寸法よりも小さい。このため、被取付体２００の幅方向の寸法が書見台１００によって大きくなることを抑制できる。よって、教室の面積が書見台１００によって狭くなることを抑制できる。したがって、教室の学習環境が書見台１００によって損なわれることを抑制できる。
【００６１】
図１に示されるように、不使用状態における背面板２は、使用状態における背面板２よりも奥行き方向ＤＲＹの手前に配置されている。このため、書見台１００を使用状態から不使用状態に切り換えることで、被取付体２００の設置面積の拡大をさらに抑制できる。よって、不使用状態の書見台１００が取り付けられた被取付体２００（机）同士を近づけやすい。これにより、書見台１００の使用者同士を近づけやすい。したがって、児童同士のディスカッションおよび共同作業等のグループ学習活動を促進させることができる。
【００６２】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００６３】
１  取付部、２  背面板、３  支持構造、１１  対向部、１２  天面部、１３  底面部、１４  起立部、１５  固定部、２１  第１溝部、２２  第２溝部、２３  第３溝部、２４  第４溝部、２５  第５溝部、２６  第６溝部、２９  操作部、３１  第１支持部、３２  第２支持部、３３  第３支持部、３４  第４支持部、１００  書見台、２００  被取付体、２０１  側面、ＤＲＸ  幅方向、ＤＲＺ  上下方向。 
【図１】
0003235123.tif 000003
【図２】
0003235123.tif 000004
【図３】
0003235123.tif 000005
【図４】
0003235123.tif 000006
【図５】
0003235123.tif 000007
【図６】
0003235123.tif 000008
【図７】
0003235123.tif 000009